(57)【要約】  【課題】インクリボンをきれいに簡単に装着し、取り外すことができるプリンタのインクリボン供給装置を提供する。  【解決手段】リボン巻取軸の支管２１の外周面にラバーマグネット、強磁性体金属の帯板、箔、線材、網、鎖などの磁力で吸着する帯状体２６を設け、インクリボンの一端を挟んで回転させ、巻き取る。支管２１は軸本体に装着すると内側からの押圧により係合する複数の樋状半割体２２，２３を組み合わせることにより構成した。【選択図】        図４
2010006019.tif 000002
【特許請求の範囲】
【請求項１】
インクを含ませたインクリボンを巻回した供給軸と、該供給軸から繰り出したインクリボンを巻き取る巻取軸とを備え、前記巻取軸の外周面の少なくとも一部に前記インクリボンの一端を固定する固定手段を備えたプリンタのインクリボン供給装置において、前記固定手段は、巻取軸の外周面に吸着する性質を備え、軸方向およびインクリボンの幅方向に沿って伸長する帯状体からなることを特徴とするプリンタのインクリボン供給装置。
【請求項２】
前記巻取軸は、プリンタ側から駆動される軸本体と、該軸本体の先端側または外周側に装着され、軸本体と一体回転するコアとからなり、前記軸本体がコアの内壁を拡径方向に押圧する押圧手段を設ける一方、前記コアは、複数の樋状半割体を組み合わせて構成し、インクリボンを巻取り始める際には、各半割体をコアの内径が拡大する方向へ前記押圧手段により付勢させ、巻取ったインクリボンのロールを取り外す際には、前記押圧手段に抗して前記各半割体同士を、コアの内径が縮小する方向に移動可能としたことを特徴とする請求項１に記載のプリンタのインクリボン供給装置。
【請求項３】
前記固定手段は、磁石と強磁性体または磁石同士の組み合わせとし、前記帯状体はラバーマグネット、強磁性体の帯板、箔、線材、網、鎖から選ばれる少なくとも一つより構成してなる請求項１に記載のプリンタのインクリボン供給装置。
【発明の詳細な説明】
【技術分野】
【０００１】
本発明は、供給軸に巻回した感圧／感熱型、熱昇華型等の、インクリボンを繰り出して巻取軸に巻き取るプリンタのインクリボン供給装置における、リボンの一端と巻取軸との固定手段の改良に関する。
【背景技術】
【０００２】
従来の技術として、図８ないし図１０に示すものが知られている。
図中、１は熱転写プリンタを示し、該熱転写プリンタ１はインクリボン供給装置２および印字手段としてのサーマルヘッド３、プラテンローラ４、印字用紙供給装置５からなり、前記インクリボン供給装置２は供給軸６、巻取軸７とを備えている。
【０００３】
前記巻取軸７には、図９に示すような紙製などの支管（筒状の巻心）９を装着し、該支管９の外周面に前記供給軸６から繰り出したインクリボン８の一端を弱粘着性シリコンラバー（以下、「粘着材」という）１１等の固定手段で固定し、巻取軸７を回転させてインクリボン８を巻き取るようにしている。
【０００４】
ここで、前記供給軸６および巻取軸７には、外周面に略Ｍ字型に折曲成型された板ばね１０がネジ等を用いて固定されており、各板ばね１０は前記支管９を巻取軸７（供給軸６）に装着するとき、支管９の内面に弾性変形して当接し、抜けにくくすると共に、支管９が軸と一体回転する際に滑らないよう確実に保持している。
【発明の開示】
【発明が解決しようとする課題】
【０００５】
ところで、上記従来技術ではインクリボン８の一端を巻取軸７に固定する場合、必ず粘着材１１等の固定手段を必要とし、繰り返し使用による粘着力の低下や、塵埃が付着しやすいなどの欠点があり取り扱いが面倒であった。
【０００６】
【特許文献１】特開２００４−３４３１８号公報
【０００７】
本発明は上記従来技術の問題に鑑みなされたもので、インクリボンをきれいに簡単に装着し、取り外しできるプリンタのインクリボン供給装置を提供することにある。
【課題を解決するための手段】
【０００８】
上記課題を解決するため本発明が採用する構成の特徴は、巻取軸の外周面の少なくとも一部にインクリボンの一端を固定する固定手段を備えたプリンタのインクリボン供給装置において、前記固定手段は、巻取軸の外周面に吸着する性質を備え、軸方向およびインクリボンの幅方向に沿って伸長する帯状体からなることにある。
【０００９】
上記構成によれば、インクリボンの一端を前記帯状体と巻取軸外周面との間に通し、帯状体が吸着されることによってインクリボンの一端が巻取軸と帯状体とに挟まむことができるので、この状態で巻取軸を回転させると、インクリボンがきれいに巻取軸に巻き取られる。
【００１０】
ここで、上記巻取軸は、プリンタ側から駆動される軸本体と、該軸本体の先端側または外周側に装着され、軸本体と一体回転するコアとからなり、前記軸本体がコアの内壁を拡径方向に押圧する押圧手段を設ける一方、前記コアは、複数の樋状半割体を組み合わせて構成し、インクリボンを巻取り始める際には、各半割体をコアの内径が拡大する方向へ前記押圧手段により付勢させ、巻取ったインクリボンのロールを取り外す際には、前記押圧手段に抗して前記各半割体同士を、コアの内径が縮小する方向に移動可能とするのが好ましい。
【００１１】
上記構成によれば、使用済みインクリボンを巻き取った後に、各半割体同士を接近させてコアの内径が縮小するように変形させることで、巻き取ったインクリボンのロールを解さずに取り外すことができる。
【００１２】
さらに、上記固定手段は、ラバーマグネット、強磁性体の帯板、箔、線材、網、鎖から選ばれる少なくとも一つから構成するのが好ましい。
【００１３】
上記構成から、実施するのに一段と具体的な材料選択、構成、構造が提案される。
【発明の効果】
【００１４】
本発明によればインクリボンをきれいに簡単に装着し、取り外すことができる。
【発明を実施するための最良の形態】
【００１５】
以下、本発明の好適な実施の形態を図１ないし図７を用いて詳述する。なお、上述した実施の形態と同一の構成要素に同一符号を付し、その説明を省略する。
【００１６】
図１中、１５はインクリボン８の巻取軸を示し、該巻取軸１５は軸本体１６と、帯状体１７より大略構成されている。
まず、軸本体１６は基プリンタ側から駆動される先端側の外周面の一部が軸方向と平行に切り取られ、この欠損部位を補充するように、ラバーマグネットから構成された帯状体１７が取り付けられている。帯状体１７の基端側は、軸本体１６に固定（例えば接着）されており、帯状体１７の先端側は軸本体１６に磁力で吸着されている。なお、この吸着力は手で引き剥がすことができる程度である。また、スピンドル本体１６の少なくとも１部は鉄等を主成分とする金属材料からなり、それ自体がマグネットを吸着する強磁性体となっている。
【００１７】
前記軸本体１６はプリンタ側から駆動され、該軸本体の先端側には、軸本体１６と一体回転するコア１８が一体的に設けられている。該コア１８は２つの半割体１８Ａおよび１８Ｂからなり、コア１８の先端側には操作つまみ１９が設けられている。そして、このつまみ１９を回転操作すると、コア１８の内壁を拡径方向に押圧操作できる一方、つまみ１９を逆方向に回転操作すると、コアの内径が縮小する方向に移動可能となっている。
【００１８】
本実施の形態は以上のようなもので、インクリボン８を巻取り始める際には、コア１８の各半割体１８Ａをコアの内径が拡大する方向へ操作し（図１に示す如く）、インクリボン８の一端を帯状体１７と軸本体１６との間に通し、帯状体１７をスピンドル本体１６に吸着させる任せるとインクリボン８の一端を挟み込むので、この状態で巻取軸１５を回転させ、インクリボン８を巻取軸１５の外周側に巻き取る。
【００１９】
次に、巻取軸１５から使用済みのインクリボン８を取り除くには、巻取軸１５の回転を停止させた状態でつまみ１９を操作し各半割体１８Ａ，１８Ｂを、コア１８の内径が縮小する方向に移動させる。
【００２０】
すると、使用済みインクリボン８のロール内で巻取軸１５の実質的な径が縮小するので緩みが生じ、インクリボン８の巻始め部分は、帯状体１７とコア１８の磁力による吸着で挟まれているに過ぎないので、ロールは軸方向に容易に引き抜くことができる。
なお、使用済みのインクリボン８のロールを軸方向に引き抜くと、リボンの一端は磁力により挟まれているだけなので、徐々に引き抜くことができる。
【００２１】
次に、図２ないし図５は第二の実施の形態であり、本実施形態は、請求項２および請求項３に対応する実施形態である。
【００２２】
図中、２１は支管（コア）を示し、該支管２１は上記従来技術で述べた巻取軸７（軸本体）の外周に装着して使用済みインクリボン８を巻き取るものである。
該支管２１は２個の樋状半割体２２および２３を組み合わせて構成されている。
前記半割体２３には鏃状突起２４が形成され、対応する半割体２２の前記鏃状突起２４に対応する位置には係合突起２５が形成されている。前記各半割体２２と２３とが一体化され、巻取軸７に装着されたとき、鏃状突起２４と係合突起２５とは、内側から作用する板ばね１０の押圧力により互いに強固に係合して一体化されるようになっている。
【００２３】
２６は帯状体を示し、該帯状体２６は前述した帯状体１７と略同様に構成される。２７は前記帯状体１７が半割体２２に磁力で吸着しない場合に必要に応じて設けられるもので、磁石、強磁性体の金属などから、帯状体２６の材質に応じて選択される。
【００２４】
第二の実施の形態は以上のようなもので、使用済みのインクリボンを巻き取る為の操作は上述した第一の実施の形態と同様である。然るに、巻取軸７に巻き取った使用済みインクリボン８を支管２１ごと軸方向に引き抜くことでプリンタ１から取り外すことができる。そして、巻取軸７から取り外した支管２１は、板ばね１０の内側からの押圧力が無くなるので変形し易くなり、鏃状突起２４と係合突起２５との係合が外れ易くなると同時に、巻き取ったインクリボン８の内周と支管２１との間に隙間ができ、帯状体２６も浮き易くなる。
【００２５】
この状態で、支管２１ごと使用済みインクリボン９のロールから引き抜くか、各半割体２２，２３を別々に引き抜くことで、使用済みインクリボンを解（ほぐ）さずに取り外すことができる。
【００２６】
なお、上記実施の形態では帯状体の基端部が支管の半割体と接着して固定された場合を例示したが、本発明はこれに限定するものでなく、図６に変則断面で図示したように、ヒンジ結合でもよい。
【００２７】
また、帯状体はラバーマグネットのような柔軟なものでなくとも、磁石に吸着する金属網やチェーンの如き構造体であってもよい。
【００２８】
また、支管の半割体は完全に分離する必要はなく、図７のようにヒンジ結合していてもよい。
【図面の簡単な説明】
【００２９】
【図１】本発明の実施の形態に係るプリンタ概観斜視図である。
【図２】第二の実施の形態に係るインクリボンの支管を示す説明図である。
【図３】図２の支管の径方向断面図である。
【図４】支管から使用済みインクリボンを取り外す操作の説明図である。
【図５】支管を構成する各半割体を示す概観図である。
【図６】第三の実施の形態に係るインクリボンの支管を示す説明図である。
【図７】第四の実施の形態に係るインクリボンの支管を示す説明図である。
【図８】従来技術に係るプリンタの動作説明図である。
【図９】従来技術に係るプリンタの動作説明図である。
【図１０】従来技術に係るプリンタの動作説明図である。
【符号の説明】
【００３０】
１…プリンタ
６…供給軸
７…巻取軸
８…インクリボン
２１…支管
２６…帯状体
【図１】
2010006019.tif 000003
【図２】
2010006019.tif 000004
【図３】
2010006019.tif 000005
【図４】
2010006019.tif 000006
【図５】
2010006019.tif 000007
【図６】
2010006019.tif 000008
【図７】
2010006019.tif 000009
【図８】
2010006019.tif 000010
【図９】
2010006019.tif 000011
【図１０】
2010006019.tif 000012